(57)【特許請求の範囲】
【請求項１】
ケースに取り付け可能なカバーと、
前記ケースに設けられ、前記ケースに前記カバーを取り付けたときに、ロック解除に向けた動きを阻止するように変形し、前記カバーをロックするロック部とを含み、
前記ロック部は前記カバーの側壁の端部からの押圧に伴い変形し、
前記側壁の端部のスライドに伴い元の形状に戻り、前記ロック部は前記カバーの側壁に接触し、当該接触が前記ケースから前記カバー取外しを阻止することを特徴とする筐体取り付け構造。
【請求項２】
ケースに取り付け可能なカバーと、
前記ケースに設けられ、前記ケースに前記カバーを取り付けたときに、ロック解除に向けた動きを阻止するように変形し、前記カバーをロックするロック部とを含み、
前記ケースは、第１部材と第２部材とを備え、
前記第１部材と前記第２部材とを一方を支点として回転したときに前記ロック部のロック状態が解除されることを特徴とする筐体取り付け構造。
【請求項３】
前記第１部材および前記第２部材の一方の端部と、前記カバーとに、両者を取り付けるための取り付け部材が設けられることを特徴とする請求項２記載の筐体取り付け構造。
【請求項４】
前記ロック部には、前記第１部材と前記第２部材とを一方の端部を支点として回転した時に、対向する部材の端面と前記ロック部の端面とを平行に保持するテーパー面が設けられることを特徴とする請求項２または３記載の筐体取り付け構造。
【請求項５】
前記第１部材および前記第２部材の一方の端部に設けられる前記取り付け部材には、前記第１部材と前記第２部材とを一方の端部を支点として回転したときに、前記取り付け部材同士が所定角度まで相互に干渉しないようにするための切り欠き部が設けられることを特徴とする請求項３または４記載の筐体取り付け構造。
【請求項６】
前記第１部材を前記ケースのフロントケースとし、
前記第２部材を前記ケースのリアケースとしたこと特徴とする請求項２から５いずれかに記載の筐体取り付け構造
【請求項７】
前記カバーの取り付けは、前記カバーの端部を前記ロック部に押さえつけながら前記端部が前記ロック部を通り過ぎるまでスライドさせることにより行うことを特徴とする請求項１から６いずれかに記載の筐体取り付け構造。
【請求項８】
請求項１乃至７のいずれかの筐体取り付け構造を含むことを特徴とする筐体。
【請求項９】
ケースの第１部材と第２部材とを取り付けるケース取り付けステップと、 
前記第１部材および前記第２部材に取り付け可能なカバーのフック部と、前記第１部材および前記第２部材のツメ部とを取り付ける手前に配置する配置ステップと、
前記カバー側壁の端部を前記第１部材に設けたロック部に押し付けながら変形させ、前記カバー側壁がスライドすることに伴い、前記ロック部の変形した形状が元に戻り前記カバーとロックさせるロックステップと、
前記カバーのフック部と、前記第１部材および前記第２部材のツメ部とを取り付けるツメ取り付けステップとを含むことを特徴とする筐体の取り付け方法。
【請求項１０】
ケースの第１部材と第２部材とを取り付けるケース取り付けステップと、 
前記第１部材および前記第２部材に取り付け可能なカバーのフック部と、前記第１部材および前記第２部材のツメ部とを取り付ける手前に配置する配置ステップと、
前記カバーの端部を前記第１部材に設けたロック部に押し付けながらスライドさせ、前記ロック部を前記カバーとロックさせるロックステップと、
前記カバーのフック部と、前記第１部材および前記第２部材のツメ部とを取り付けるツメ取り付けステップと、
前記第１部材および前記第２部材を、前記ロック部付近を中心として回転させ、それぞれを取り外すステップと、
前記ロック部が前記カバー外に移動し、前記カバーのロックを解除する解除ステップと、
前記カバーを取り付け時と反対側にスライドさせるスライドステップと、
前記カバーのフック部と、前記第１部材および前記第２部材のツメ部との取り付けを外すステップとを含むことを特徴とする筐体取り付け方法。
【請求項１１】
前記第１部材を前記ケースのフロントケースとし、
前記第２部材を前記ケースのリアケースとしたこと特徴とする請求項９または１０記載の筐体の取り付け方法。
【発明の詳細な説明】
【技術分野】
【０００１】
本発明は、筐体取り付け構造、筐体および筐体の取り付け方法に関し、特に携帯型電子機器の筐体取り付け構造、筐体および筐体の取り付け方法に関する。
【背景技術】
【０００２】
近年、携帯電話機などの携帯型電子機器は、フロントケースとリアケースだけで構成されているのではなく、デザイン性を高めるために別パーツ（筐体端部カバー）を設けることがある。
このとき、筐体端部カバー（以下、「カバー」と表示する）の固定には、耐衝撃性のためにネジを用いることが多い。ネジを用いることは、部品点数の増加を招くため、装置サイズの増大、及びコストアップの要因となっている。
携帯型電子機器のデザイン性を高めていく中で、耐衝撃性を確保し、且つ小型化と低コスト化を両立させることは依然として大きな命題となっている。
本発明に関連するカバーを備えた携帯型電子機器は、少なくともフロントケース、リアケース、カバーおよび回路基板を備えている（たとえば、特許文献１参照）。
この特許文献１に開示される発明によると、カバーは、フロントケースとリアケースの一部を覆うように被せられる。そして、この発明によると、フロントケースとリアケースおよびカバーをネジにより共締めして、これら両ケースおよびカバーを固定できるようになっている。このため、落下などの衝撃に対し高い耐力を備えることができる。
一方、フロントグラスをパネル本体にスライドさせ、フロントグラスに設けた嵌合凸部および突起部を、パネル本体に設けた嵌合凹部および凹陥部と嵌合させるオーディオ装置が開示されている（特許文献２参照）。
また、二次電池をリアカバーにロックする二次電池ロック構造が開示されている（特許文献３参照）。この構造は、二次電池をリアカバーに嵌め込む際に、二次電池に設けた凹部とリアカバーに設けた凸部とを嵌合させ、二次電池の端部でリアカバーに設けたフックを押圧する。これにより、フックが回転し二次電池がリアカバーにロックされる。
【特許文献１】特開２００６−１６５０４６号公報
【特許文献２】特開２００１−２８４８３０号公報
【特許文献３】特開平１０−０４０８９０号公報
【発明の開示】
【発明が解決しようとする課題】
【０００３】
しかし、特許文献１開示のカバー固定構造のように少なくとも１つ以上のネジ固定を必要としてしまうと、このときネジ固定するためのボスやナットなどが必要となる。さらに、それらを配置するための実装空間が必要となり、またネジを隠すためのパーツも必要となる。したがって、部品点数の増加を伴うとともにデザインとしての制約が発生してしまう。これらにより、携帯型電子機器サイズの増大、およびコスト増加という問題が起きてしまい、携帯型電子機器の小型化、コスト低減が難しくなってしまう。
また、カバー固定にネジを使わない嵌合方法として、落下などの衝撃に対し高い耐力を備えた嵌め殺し構造も考えられる。この場合、修理する際の分解し易さに対する配慮が欠けてしまう。
一方、特許文献２開示のオーディオ装置には、フロントグラスをパネル本体に取り付けるための構造が記載されているが、フロントグラスをパネル本体から外すための構造については、全く開示されていない。
また、特許文献３開示の二次電池ロック構造には、二次電池をロックするためのフックが開示されているが、このフックはカバーを固定するものではない。
そこで本発明の目的は、カバーの固定にネジを必要とせず、落下時の衝撃に強い取り付け強度を備える筐体取り付け構造、筐体および筐体の取り付け方法を提供することにある。
【課題を解決するための手段】
【０００４】
前記課題を解決するために本発明による筐体取り付け構造は、ケースに取り付け可能なカバーと、前記ケースに設けられ、前記ケースに前記カバーを取り付けたときに、ロック解除に向けた動きを阻止するように変形し、前記カバーをロックするロック部とを含む。
また、本発明による筐体は、前記筐体取り付け構造を含む。
また、本発明による筐体の取り付け方法は、ケースの第１部材と第２部材とを取り付けるケース取り付けステップと、前記第１部材および前記第２部材に取り付け可能なカバーのフック部と、前記第１部材および前記第２部材のツメ部とを取り付ける手前に配置する配置ステップと、前記カバーの端部を前記第１部材に設けたロック部に押し付けながらスライドさせ、前記ロック部を前記カバーとロックさせるロックステップと、前記カバーのフック部と、前記第１部材および前記第２部材のツメ部とを取り付けるツメ取り付けステップとを含む。
【発明の効果】
【０００５】
本発明によれば、カバーの固定にネジを必要とせず、落下時の衝撃に強い取り付け強度を備えることができる。
【図面の簡単な説明】
【０００６】
【図１Ａ】図１Ａは、本実施形態に係る筐体取り付け構造のカバーの取り付け工程の一例を示す図である。
【図１Ｂ】図１Ｂは、同取り付け工程における他の状態を示す図である。
【図１Ｃ】図１Ｃは、同取り付け工程における他の状態を示す図である。
【図１Ｄ】図１Ｄは、同取り付け工程における他の状態を示す図である。
【図２Ａ】図２Ａは、同筐体取り付け構造のカバーの取り外し工程の一例を示す図である。
【図２Ｂ】図２Ｂは、同取り外し工程における他の状態を示す図である。
【図２Ｃ】図２Ｃは、同取り外し工程における他の状態を示す図である。
【図２Ｄ】図２Ｄは、同取り外し工程における他の状態を示す図である。
【図３】図３は、カバーの一例の斜視図である。
【図４Ａ】図４Ａは、フロントケース１の構造の一例である全体構造を示す斜視図である。
【図４Ｂ】図４Ｂは、同フロントケース１の端部拡大図である。
【図５Ａ】図５Ａは、リアケース２の構造の一例である全体構造を示す斜視図である。
【図５Ｂ】図５Ｂは、同リアケース２の端部拡大図である。
【図６】図６は、フロントケースとリアケースに設けられたツメ部の構成の一例を示す図である。
【図７】図７は、フロントケースおよびリアケースにカバーを取り付ける場合の動作の一例を示すフローチャートである。
【図８】図８は、フロントケースおよびリアケースからカバーを取り外す場合の動作の一例を示すフローチャートである。
【符号の説明】
【０００７】
１  フロントケース
２  リアケース
３  カバー
３ａ  側壁
３ｂ  端部
４  フック部
５  フック部
６  フック部
７  ツメ部
７ａ  溝
８  ツメ部
８ａ  溝
９  ロック部
１０  ツメ部
１０ａ  溝
１１  ツメ部
１１ａ  溝
１３  切り欠き部
１４  切り欠き部
１５  テーパー面
１６  切り欠き部
１７  切り欠き部
【発明を実施するための最良の形態】
【０００８】
最初に、本発明の筐体取り付け構造及び筐体に係る実施形態について説明する。
図１Ａ、図１Ｂ、図１Ｃ、図１Ｄは、本実施形態に係る筐体取り付け構造のカバーの取り付け工程の一例を示す。図１Ａは、本実施形態に係る筐体取り付け構造のカバーの取り付け工程の一例を示す図である。図１Ｂ、図１Ｃ、図１Ｄは、同取り付け工程における他の状態を示す図である。
本実施形態の筐体取り付け構造及び筐体は、フロントケース１と、リアケース２と、カバー３と、ロック部９とを含む。なお、フロントケース１やリアケース２は、ケースと呼ぶことができる。
リアケース２は、フロントケース１に取り付け可能である。カバー３は、フロントケース１およびリアケース２に取り付け可能である。ロック部９は、フロントケース１の一方の端部に設けられ、フロントケース１にカバー３を取り付けるときに、カバー３の端部３ｂに押圧されて変形する。さらに、ロック部９は、カバー３の端部３ｂがロック部９を通過するまでスライドさせると、元の形状に回復する。即ち、ロック部９は、ロック解除に向けた動きを阻止するように変形し、カバー３をロックする。
この実施形態によれば、カバー３をネジを使用せずに装着することができる。さらに、この実施形態によれば、カバー３でロック部９は覆われているため、カバー３の外から力が加わってもロック部９は矢印Ｃの方向（ロックが外れる方向）には動かない。したがって、落下時に強い衝撃がカバー３に加わってもカバー３のロックが外れることがない。
このように、この実施形態によれば、カバーの固定にネジを必要とせず、落下時の衝撃に強い取り付け強度を備えることができる。
次に、本発明の筐体の取り付け方法に係る実施形態について説明する。
図１Ａ、図１Ｂ、図１Ｃ、図１Ｄ、図３、図４Ａ、図４Ｂ、図５Ａ、図５Ｂ、図７を参照して筐体の取り付け方法に係る実施形態を説明する。
図３は、カバーの一例の斜視図である。図４Ａは、フロントケース１の構造の一例である全体構造を示す斜視図である。図４Ｂは、同フロントケース１の端部拡大図である。図５Ａは、リアケース２の構造の一例である全体構造を示す斜視図である。図５Ｂは、同リアケース２の端部拡大図である。図７は、フロントケースおよびリアケースにカバーを取り付ける場合の動作の一例を示すフローチャートである。
まずフロントケース１とリアケース２とを取り付ける（図１Ａ）および図７のステップＳ１参照、ケース取り付けステップ）。
次にカバー３のフック部４がフロントケース１のツメ部７とリアケース２のツメ部１０に取り付ける手前、およびカバー３のフック部５がフロントケース１のツメ部８に取り付ける手前になるように配置する。さらに、カバー３のフック部６がリアケース２のツメ部１１に取り付ける手前になるように配置する（図１Ｂ、図３、図４Ｂ、図５Ｂおよび図７のステップＳ２参照、配置ステップ）。
このとき、ロック部９が突起しているため、ロック部９がカバー３の端部に干渉するので、ロック部９がカバー３をロックできない。
そこで、カバー３の端部３ｂをフロントケース１の一方の端部に設けたロック部９に矢印Ｃ方向に押し付けながら、カバー３を矢印Ａ方向にスライドさせる。ロック部９の端部３ｂがロック部９を通過するまでスライドさせると、ロック部９はカバー３の端部３ｂから外れ、弾性により元の位置に戻る。これにより、ロック部９はカバー３をロックする（図１Ｃおよび図７のステップＳ３参照、ロックステップ）。
このロックにより、カバー３は矢印Ｂ方向または矢印Ａ方向のいずれにも動くことができなくなる。同時に、カバー３に備えたフック部４〜６とフロントケース１とリアケース２に備えたツメ部７、８、１０および１１がそれぞれ取り付けられ、カバー３が固定される（図１Ｄおよび図７のステップＳ４参照、ツメ取り付けステップ）。
この実施形態によれば、カバー３を、ネジを使用せずに固定することができる。これにより、ネジ隠しのパーツも不要になり、より美観にも優れたものとすることができる。また、ネジ隠しのパーツが不要のため、小型化およびコスト低減が可能となる。さらに、この実施形態によれば、カバー３でロック部９は覆われているため、カバー３の外から力が加わってもロック部９は矢印Ｃの方向（ロックが外れる方向）には動かない。したがって、落下時に強い衝撃がカバー３に加わってもカバー３のロックが外れることがない。
このように、この実施形態によれば、カバーの固定にネジを必要とせず、落下時の衝撃に強い取り付け強度を備えることができる。さらに、組立性および美観に優れ、かつ小型化およびコスト低減に寄与できる。
本発明の実施形態の具体的な説明に入る前に、実施形態の動作原理について説明する。
図１Ａは、本実施形態に係る筐体取り付け構造のカバーの取り付け工程の一例を示す図である。図１Ｂ、図１Ｃ、図１Ｄは、同取り付け工程における他の状態を示す図である。図２Ａは、同筐体取り付け構造のカバーの取り外し工程の一例を示す図である。図２Ｂ、図２Ｃ、図２Ｄは、同取り外し工程における他の状態を示す図である。
まず、カバーの取り付け工程について説明する。
図１Ａを参照して本実施形態を説明する。本実施形態に係る筐体はフロントケース１と、フロントケース１とに取り付け可能なリアケース２と、フロントケース１およびリアケース２の一方の端部に取り付け可能なカバー３とを含んでいる。なお、フロントケース１は第１部材と呼ぶことができる。また、リアケース２は第２部材と呼ぶことができる。
さらに本実施形態に係る筐体は、フロントケース１の一方の端部に設けられたロック部９を含んでいる。このロック部９は、カバー３に押圧されて変形し、カバー３の端部３ｂがロック部９を通過するまでスライドさせると、ロック部９はカバー３の端部３ｂから外れ、弾性により元の位置に戻る。これにより、ロック部９はカバー３をロックする。このロックにより、カバー３は、フロントケース１に取り付けられる。即ち、ロック９部は、カバー３をフロントケース１およびリアケース２に取り付けたときに、ロック解除に向けた動きを阻止するように変形する。
すなわち、フロントケース１の一方の端部には図１Ｂに示すフロントケース１の長手方向（矢印Ｃ方向）に変形が可能なロック部９が設けられている。また、ロック部９は弾性を有しているため、カバー３の端部３ｂがロック部９を通り過ぎるまでスライドさせると、矢印Ｃ方向への押圧がなくなり、元の位置（矢印Ｄ方向の位置）に戻る。さらにロック部９は側面から見てテーパー状に形成されている。
一方、カバー３は周囲に側壁３ａを有する蓋状体で形成されている（図１Ａ）参照）。なお、側壁３ａの中で、図３に示すように、右側の部分を、端部３ｂと記載する。
いま、フロントケース１およびリアケース２の一方の端部にカバー３が取り付けられていない状態では、フロントケース１の一方の端部のロック部９はフロントケース１の端部の面から突出している（図１Ａ）参照）。
したがって、カバー３をフロントケース１およびリアケース２の端部に取り付けるため、カバー３をＡ方向（Ｃ方向と直角方向：図１Ｃ参照）にスライドさせようとしてもカバー３の端部３ｂとロック部９とが干渉する。これにより、カバー３をフロントケース１およびリアケース２の端部に取り付けることができない。
しかし、ロック部９はＣ方向に変形可能に構成されている。そこで、まず、カバー３をフロントケース１およびリアケース２の一方の端部に取り付ける手前に配置する（図１Ｂ参照）。つまり、ロック部９にカバー３の側壁３ｂが接するようにカバー３を配置する。
次に、カバー３の側壁３ｂをＣ方向に押圧すると、ロック部９はＣ方向に変形し、フロントケース１の端部の面とロック部９のテーパー面１５（図２Ｂ参照）とが平行になる。この時点で、カバー３をＡ方向にスライドしやすくなる（図１Ｃ参照）。
そこで、カバー３をＡ方向にスライドすると、カバー３の側壁３ｂがロック部９を通過した時点で、ロック部９が弾性により元の形状に回復する。これにより、ロック部９はカバー３をロックする。この状態で、カバー３はＡ方向またはＢ方向のいずれにも動くことができなくなる。さらに、カバー３はフロントケース１およびリアケース２の端部に取り付けられる（図１Ｄ参照）。
次に、カバーの取り外し工程について説明する。
図２Ａは、カバー３がフロントケース１およびリアケース２の一方の端部に取り付けられた状態で、フロントケース１とリアケース２とをその端部を支点として回転した場合を示している。このとき、カバー３はまだフロントケース１およびリアケース２の一方の端部にロックされている。
図２Ｂを参照して本実施形態を説明する。ロック部９にはテーパー面１５が設けられている。したがって、フロントケース１の一方の端部に設けられたロック部９はフロントケース１を回転させるとリアケース２の内側に入り込む。これにより、フロントケース１とリアケース２が所定角度になるとロック部９のテーパー面１５とフロントケース１の端部の面とが平行になる。
この時点で、ロック部９がカバー３外に移動しており、カバー３のロックが外れるため、カバー３を取り付け方向とは逆方向（Ｂ方向）にスライドさせることが可能となる（図２Ｃ参照）。そこで、カバー３をＢ方向にスライドさせることにより、カバー３と、フロントケース１およびリアケース２の一方の端部との取り付けを外すことができる。次いでフロントケース１とリアケース２との取り付けを外すことが可能となる（図２Ｄ参照）。
このように、本実施形態によれば、カバー３の装着時にネジが不要となるため組立性および分解性の向上を図ることが可能となる。またネジ隠しのパーツも不要になるため、より美観にも優れた携帯型電子機器を提供できる。さらに、ネジ隠しのパーツも不要になるため、小型化およびコスト低減が可能となる。
さらにカバー３でロック部９は覆われているため、カバー３の外から力が加わってもロック部９は矢印Ｃの方向（ロックが外れる方向）には動かない。したがって、落下時に強い衝撃がカバー３に加わってもカバー３のロックが外れることがない。このように、本実施形態によれば、非常に強固な取り付け強度を備えた携帯型電子機器を提供することができる。
次に、本発明の具体的な実施形態について添付図面を参照しながら説明する。
図１Ａ、図１Ｂ、図１Ｃ、図１Ｄを参照して本実施形態を説明する。本実施形態の筐体取り付け構造は一例として、図示しない表示部と操作部とを備えた折りたたみ携帯型電子機器の筐体取り付け構造である。そして、本実施形態の筐体取り付け構造は、フロントケース１と、フロントケース１に取り付け可能なリアケース２と、フロントケース１およびリアケース２の一方の端部に取り付け可能なカバー３とを含んでいる。
さらに、本実施形態の筐体取り付け構造はフロントケース１の一方の端部に設けられ、フロントケース１およびリアケース２にカバー３を取り付ける。このときに、本実施形態の筐体取り付け構造は、カバー３に押圧されることにより変形し、カバー３をスライドさせたときに元の形状に回復し、カバー３をロックするロック部９を含んでいる。即ち、ロック９部は、カバー３をフロントケース１およびリアケース２に取り付けたときに、ロック解除に向けた動きを阻止するように変形する。
なお、本実施形態ではロック部９をフロントケース１側に設けた例について説明するが、ロック部９をリアケース２側に設けることも可能である。
図３はカバーの一例の斜視図である。同図３を参照して本実施形態を説明する。カバー３は蓋状体で形成されている。カバー３の周囲の側壁３ａには、フック部４と、フック部５と、フック部６とが設けられている。フック部４は、フロントケース１およびリアケース２の端部との取り付けに用いる。フック部５は、フロントケース１の端部との取り付けに用いる。フック部６は、リアケース２の端部との取り付けに用いる。これら、フック部４、５、６は、取り付け部材と呼ぶことができる。
図４Ｂを参照して本実施形態を説明する。フロントケース１の一方の端部には、カバー３に取り付けるためのツメ部７および８と、カバー３をロックするロック部９とが設けられている。また、ツメ部７および８にはそれぞれ溝７ａおよび８ａが設けられている。そして、ツメ部７の溝７ａおよびツメ部８の溝８ａにカバー３のフック部４および５により、カバー３とフロントケース１とが取り付けられる。これら、ツメ部７、８は、取り付け部材と呼ぶことができる。
ロック部９は弾性により、フロントケース１の長手方向（Ｃ方向）あるいは反長手方向（Ｃ方向と反対方向）に変形するよう構成されている。さらに、ロック部９は、側方から見て、テーパー状に突出した形状に形成されている。以降、このロック部９の前面をテーパー面１５と記載する。
フロントケース１とリアケース２とを一方の端部を支点として回転させると、フロントケース１とリアケース２のなす角度が変化する。ロック部９のテーパー面１５はフロントケース１側に設けられているため、所定角度まで回転させるとロック部９のテーパー面１５とリアケース２の一方の端部の面とが平行になる（図２Ｂの右側参照）。
したがって、この時点でカバー３をロックしていたロック部９はカバー３外に移動するため、カバー３のロック部９によるロックは解除される。
図５Ｂを参照して本実施形態を説明する。リアケース２の一方の端部には、カバー３をロックするツメ部１０および１１が設けられている。また、ツメ部１０および１１にはそれぞれ溝１０ａおよび１１ａが設けられている。そして、ツメ部１０の溝１０ａおよびツメ部１１の溝１１ａにカバー３のフック部４および６がそれぞれ取り付けられ、カバー３とリアケース２とが取り付けられる。これら、ツメ部１０、１１は、取り付け部材と呼ぶことができる。
図６はフロントケースとリアケースに設けられたツメ部の構成の一例を示す図である。
同図６を参照して本実施形態を説明する。フロントケース１のツメ部７には切り欠き部１３および１４が設けられ、リアケース２のツメ部１０には切り欠き部１６および１７が設けられている。
ツメ部７に設けた切り欠き部１３とツメ部１０に設けた切り欠き部１６は、フロントケース１とリアケース２を、ロック部９付近を中心に回転する際に、所定角度まではお互いが干渉しないような形状となっている。ここで、所定角度とは、ロック部９のテーパー面１５がリアケース２の端面と平行になる角度である。
また、ツメ部７に設けた切り欠き部１４とツメ部１０に設けた切り欠き部１７は、フロントケース１とリアケース２を、ロック部９付近を中心に回転する際にカバー３に設けたフック部４に前述の所定角度までは干渉しないようになっている。
次に、本実施形態の動作について説明する。
まず、フロントケース１およびリアケース２にカバー３を取り付ける場合の動作について説明する。図７はフロントケースおよびリアケースにカバーを取り付ける場合の動作の一例を示すフローチャートである。図７とともに図１を参照しながら以下本実施形態を説明する。
まずフロントケース１とリアケース２とを取り付ける（図１Ａ）および図７のステップＳ１参照、ケース取り付けステップ）。次にカバー３のフック部４がフロントケース１のツメ部７とリアケース２のツメ部１０に取り付けする手前、およびカバー３のフック部５がフロントケース１のツメ部８に取り付けする手前になるように配置する。さらに、カバー３のフック部６がリアケース２のツメ部１１に取り付ける手前になるように配置する（図１Ｂおよび図７のステップＳ２参照、配置ステップ）。
このとき、ロック部９が突起しているため、ロック部９がカバー３の側壁３ｂと干渉し、カバー３を矢印Ａ方向にスライドできないが、ロック部９は矢印Ｃ方向に変形可能に構成されている。
そこで、カバー３の端部である側壁３ｂをフロントケース１の一方の端部に設けたロック部９に矢印Ｃ方向に押し付けながら、カバー３を矢印Ａ方向にスライドさせる。カバー３の端部３ｂがロック部９を通過するまでスライドさせると、ロック部９はカバー３の端部３ｂから外れ、弾性により元の位置に戻る。これにより、ロック部９は、カバー３をロックする（図１Ｃおよび図７のステップＳ３参照、ロックステップ）。
このロックにより、カバー３は矢印Ｂ方向または矢印Ａ方向のいずれにも動くことができなくなる。同時に、カバー３に備えたフック部４〜６とフロントケース１とリアケース２に備えたツメ部７、８、１０および１１により、カバー３が固定される（図１Ｄおよび図７のステップＳ４参照、ツメ取り付けステップ）。
カバー３は、ロック部を解除しない限り、外すことが出来なくなる。ロック部９を解除するには、矢印Ｃ方向にロック部９を引込ませる必要がある。しかし、ロック部９はカバー３で覆われているため、カバー３の外から力が加わっても矢印Ｃ方向（ロックが外れる方向）には動かない。
次に、フロントケース１およびリアケース２からカバー３を取り外す場合の動作について説明する。図８はフロントケースおよびリアケースからカバーを取り外す場合の動作の一例を示すフローチャートである。図８とともに図２を参照しながら以下に動作について説明する。
まず、フロントケース１とリアケース２の取り付けをカバー３とは反対側の端部から外す。すなわち、フロントケース１とリアケース２とをロック部９付近を支点として回転させながらそれぞれのケースの取り付けを外す（図２Ａ）および図８（ステップＳ１１参照、それぞれを取り外すステップ）。
フロントケース１とリアケース２には、それぞれ切欠き部１３、１４および１６、１７が備えられている。これら切欠き部１３、１４および１６、１７により、フロントケース１とリアケース２とをロック部９付近を支点として回転させるときに、前述の所定角度までは干渉するものがない。このため、フロントケース１とリアケース２と回転をスムーズに行うことができる。
ロック部９付近を支点としてフロントケース１を回転させながら持ち上げると、フロントケース１に備えたロック部９がカバー３外に移動する。これにより、リアケース２端面とロック部９に設けたテーパー面１５とが平行になり、カバー３のロックが解除される（図２Ｂおよび図８（ステップＳ１２参照）、解除ステップ）。
このまま、カバー３を矢印Ｂ方向にスライドさせる（図２Ｃおよび図８（ステップＳ１３参照）、スライドステップ）。
すると、フロントケース１とリアケース２に備えたそれぞれのツメ部７、８、１０および１１とカバー３に備えた各々のフック部４〜６が外れる。これにより、カバー３がフロントケース１とリアケース２から分離される。
次いで、フロントケース１とリアケース２との取り付けを外す（図２Ｄおよび図８（ステップＳ１４参照）、取り付けを外すステップ）。
以上説明したように、本実施形態によれば、カバー３をフロントケース１とリアケース２に装着する際にネジが不要となるため組立性および分解性の向上を図ることができる。またネジ隠しのパーツも不要になるため、より美観にも優れた携帯型電子機器を提供できる。さらに、またネジ隠しのパーツが不要になるため、小型化、コスト低減に寄与することが可能となる。
また、取り付け強度に関しても、ネジ固定に頼らずとも、カバー３でロック部９は覆われているため、カバー３の外から力が加わっても矢印Ｃ方向（ロックが外れる方向）には動かない。さらにカバー３は箱形状になっているため、フックが外れる方向に撓みにくい。したがって、カバー３周囲の側壁が開きにくいので、落下時の強い衝撃が加わってもロックやツメが外れることなく、非常に強固な取り付け強度を備えることが可能となる。
以上、実施形態を参照して本願発明を説明したが、本願発明は上記実施形態に限定されものではない。本願発明の構成や詳細には、本願発明のスコープ内で当業者が理解し得る様々な変更をすることができる。
この出願は、２００８年４月９日に出願された日本出願特願２００８−１００９０９を基礎とする優先権を主張し、その開示の全てをここに取り込む。
【産業上の利用可能性】
【０００９】
本発明では、一例として表示部と操作部とを備えた折りたたみ携帯型電子機器について述べた。しかし、この折りたたみ携帯型電子機器に限定されるものではなく、本発明を他の機器の筐体端部カバーに適用することが可能である。
【図１Ａ】
0005477285.tif 000002
【図１Ｂ】
0005477285.tif 000003
【図１Ｃ】
0005477285.tif 000004
【図１Ｄ】
0005477285.tif 000005
【図２Ａ】
0005477285.tif 000006
【図２Ｂ】
0005477285.tif 000007
【図２Ｃ】
0005477285.tif 000008
【図２Ｄ】
0005477285.tif 000009
【図３】
0005477285.tif 000010
【図４Ａ】
0005477285.tif 000011
【図４Ｂ】
0005477285.tif 000012
【図５Ａ】
0005477285.tif 000013
【図５Ｂ】
0005477285.tif 000014
【図６】
0005477285.tif 000015
【図７】
0005477285.tif 000016
【図８】
0005477285.tif 000017